(57)【特許請求の範囲】
【請求項１】
外部紙と、
前記外部紙より小さい外形に形成され、重ねられた複数枚の帳票片群からなり、前記外部紙上に重ねられた内部紙と
を備え、
所定位置が折り返されるとともに所定の外縁部が接着されることにより封止される封止前のメールフォームにおいて、
前記外部紙の第１辺と前記内部紙の第１辺とが厚み方向において重なり、かつ前記内部紙の前記第１辺以外の３辺が前記外部紙の前記第１辺以外の３辺より内側に配置されており、
重なり合う前記外部紙の前記第１辺の外縁部と前記内部紙の前記第１辺の外縁部、及び重なり合う前記内部紙の各前記帳票片間の前記第１辺の外縁部を接着する第１接着剤部と、
前記外部紙の前記第１辺に平行なラインであり、前記外部紙の前記第１辺側に設けられた第１折り返しラインと、
前記第１折り返しラインと平行なラインであり、前記第１折り返しラインより前記外部紙の前記第１辺から遠ざかる側に設けられた第２折り返しラインと、
前記外部紙の前記第１辺から前記第１折り返しラインまでの間に形成され前記第１辺に垂直な２辺の外縁部の一部の領域を開口した複数の開口部と、
前記内部紙同士が重なり合うように前記第１折り返しラインが折り返されたときに前記開口部の領域内に配置される領域に設けられたスポット状の複数の第２接着剤部と、
前記外部紙の前記開口部が形成された２辺の外縁部であって前記内部紙同士が重なり合うように前記第１折り返しラインが折り返されたときに前記第２接着剤部と対向する面の反対面に設けられ、接着力を弱めるための接着力弱化部と、
前記外部紙の前記第１辺に垂直な２辺の外縁部であって、前記内部紙同士が重なり合うように前記第１折り返しラインが折り返されさらに前記外部紙の前記接着力弱化部が設けられた面側に前記内部紙が重なるように前記第２折り返しラインが折り返されたときに前記外部紙の前記接着力弱化部と重なる領域に設けられ、前記接着力弱化部と接着されるとともに、前記開口部を介して前記第２接着剤部と接着される第３接着剤部と
を備え、
前記第１折り返しラインが折り返されさらに前記外部紙の前記接着力弱化部が設けられた面側に前記内部紙が重なるように前記第２折り返しラインが折り返されたときに、
前記第３接着剤部と前記接着力弱化部とが剥離可能に接着され、
前記スポット状の複数の第２接着剤層は前記複数の開口部を介して、前記第３接着剤部と分離可能に接着され得る
ことを特徴とするメールフォーム。
【発明の詳細な説明】
【０００１】
【発明の属する技術分野】
本発明は、例えばダイレクトメールに用いられ、宣伝広告を印刷等した複数枚の帳票片を封止し、郵送等の送付可能な形態にしたメールフォームに関するものである。
【０００２】
【従来の技術】
従来、宣伝広告を印刷等した複数枚の帳票片を折りたたんで郵送可能な形態としたメールフォームがダイレクトメール等に用いられている。
図５は、従来のこの種のメールフォームの一例を示す平面図、及び側面の断面図である。このメールフォーム１０は、特開平６−３４５１０１号公報に開示されたものである。
【０００３】
図５は、封止前のメールフォーム１０を示している。メールフォーム１０は、外部紙となる帳票片１１と、内部紙となる複数の帳票片１２を有している。帳票片１１の図５（ａ）中、裏面側には、メールフォーム１０の受取人の宛名等が印字される。また、各帳票片１２には、受取人に伝達すべき情報（親展情報や宣伝広告等）が印刷されている。
【０００４】
帳票片１１の図５（ａ）中、上下側の２辺の外縁部には、それぞれ裁断可能なミシン目１１ｃ及び１１ｄが形成されている。また、帳票片１１の辺１１ｂの近傍には、所定間隔を隔てて平行な２本のミシン目１１ｅ及び１１ｆが形成されている。
帳票片１２は、帳票片１１より外形が小さく形成されており、その辺１２ａ（図中左側）が帳票片１１の辺１１ａと厚み方向で重なるように帳票片１１上に配置されている。また、帳票片１２の他の３辺は、帳票片１１の３辺より内側（ミシン目１１ｃ及び１１ｄの内側）に位置している。帳票片１１及び１２の厚み方向で重なっている図中左辺の外縁部において、各帳票片間には、接着剤部１３が設けられ、相互間で接着されている。
【０００５】
帳票片１１及び１２は、帳票片１２の略中央位置である折り返しライン１４から折り返される。この折り返しは、帳票片１２の図５（ａ）中、表面側同士が重なる方向に折り返される。この折り返し時において、重なり合う帳票片１１の図中上下側の外縁部（ミシン目１１ｃ及び１１ｄの外側領域）が接着される。さらに、折り返しライン１５から帳票片１１が折り返される。この折り返しは、帳票片１１の辺１１ｂ側の外縁部が辺１１ａ側の外縁部上に重なる方向に折り返される。そして、この折り返し時において、重なり合う帳票片１１の外縁部（ミシン目１１ｅの外側領域）が接着される。以上により、メールフォーム１０が封止される。
【０００６】
図６は、封止されたときのメールフォーム１０を示す斜視図である。
メールフォーム１０は、この状態で受取人に発送される。受取人は、ミシン目１１ｃ及び１１ｄを裁断することによりミシン目１１ｃ及び１１ｄの外側部分をメールフォーム１０から分離することができる。さらに、ミシン目１１ｅ及び１１ｆを裁断することによりミシン目１１ｅと１１ｆとの間の帯状の部分をメールフォーム１０から分離することができる。これにより、帳票片１１の接着された部分が分離され、メールフォーム１０が開封される。図７は、このときの開封されたメールフォーム１０を示す斜視図である。
【０００７】
【発明が解決しようとする課題】
しかし、前述の従来のメールフォーム１０では、封止されたメールフォーム１０の３辺の外縁部を切り取る必要があるので、開封しにくいという問題点があった。
また、メールフォーム１０の構造上、２つ折りのものに限られるという問題点があった。
【０００８】
さらにまた、メールフォーム１０を郵送する場合には、郵便法によって重量が制限されるので、帳票片１２の枚数を増やしたいときは、帳票片１１にも薄い用紙を用いなければならない。このため、郵送途中等で負荷を受けた場合には、ミシン目１１ｅ及び１１ｆは折り曲がることがないが、ミシン目１１ｃ及び１１ｄが折り曲がることがあり、これによってミシン目１１ｃ及び１１ｄが破れるおそれがあるという問題点があった。
したがって、本発明が解決しようとする課題は、開封しやすく、折りたたみが２つ折りに限定されず、かつ内部の用紙を増やすことができるメールフォームを提供することである。
【００１２】
【課題を解決するための手段】
上述の課題を解決するために、請求項１の発明は、外部紙と、前記外部紙より小さい外形に形成され、重ねられた複数枚の帳票片群からなり、前記外部紙上に重ねられた内部紙とを備え、所定位置が折り返されるとともに所定の外縁部が接着されることにより封止される封止前のメールフォームにおいて、前記外部紙の第１辺と前記内部紙の第１辺とが厚み方向において重なり、かつ前記内部紙の前記第１辺以外の３辺が前記外部紙の前記第１辺以外の３辺より内側に配置されており、重なり合う前記外部紙の前記第１辺の外縁部と前記内部紙の前記第１辺の外縁部、及び重なり合う前記内部紙の各前記帳票片間の前記第１辺の外縁部を接着する第１接着剤部と、前記外部紙の前記第１辺に平行なラインであり、前記外部紙の前記第１辺側に設けられた第１折り返しラインと、前記第１折り返しラインと平行なラインであり、前記第１折り返しラインより前記外部紙の前記第１辺から遠ざかる側に設けられた第２折り返しラインと、前記外部紙の前記第１辺から前記第１折り返しラインまでの間に形成され前記第１辺に垂直な２辺の外縁部の一部の領域を開口した複数の開口部と、前記内部紙同士が重なり合うように前記第１折り返しラインが折り返されたときに前記開口部の領域内に配置される領域に設けられたスポット状の複数の第２接着剤部と、前記外部紙の前記開口部が形成された２辺の外縁部であって前記内部紙同士が重なり合うように前記第１折り返しラインが折り返されたときに前記第２接着剤部と対向する面の反対面に設けられ、接着力を弱めるための接着力弱化部と、前記外部紙の前記第１辺に垂直な２辺の外縁部であって、前記内部紙同士が重なり合うように前記第１折り返しラインが折り返されさらに前記外部紙の前記接着力弱化部が設けられた面側に前記内部紙が重なるように前記第２折り返しラインが折り返されたときに前記外部紙の前記接着力弱化部と重なる領域に設けられ、前記接着力弱化部と接着されるとともに、前記開口部を介して前記第２接着剤部と接着される第３接着剤部とを備え、前記第１折り返しラインが折り返されさらに前記外部紙の前記接着力弱化部が設けられた面側に前記内部紙が重なるように前記第２折り返しラインが折り返されたときに、前記第３接着剤部と前記接着力弱化部とが剥離可能に接着され、前記スポット状の複数の第２接着剤層は前記複数の開口部を介して、前記第３接着剤部と分離可能に接着され得ることを特徴とするメールフォームである。
【００１３】
請求項１の発明においては、メールフォームの外部紙の第１辺に垂直な２辺の外縁部は、第１接着剤部と第２接着剤部、及び第１接着剤部と接着力弱化部により、分離可能に接着される。
請求項２又は請求項３の発明においては、メールフォームの外部紙の第１辺に垂直な２辺の外縁部は、第２接着剤部と第３接着剤部、及び第２接着剤部と接着力弱化部により、分離可能に接着される。
【００１４】
請求項４の発明においては、メールフォームの外部紙の第１辺に垂直な２辺の外縁部は、第３接着剤部と接着力弱化部、及び開口部を介した第２接着剤部と第３接着剤部により、分離可能に接着される。
したがって、ミシン目等を用いることなくメールフォームの第１辺に垂直な２辺の外縁部を分離して、メールフォームを開封することができる。
【００１５】
【発明の実施の形態】
以下、図面等を参照して、本発明の一実施形態について説明する。図１は、本発明の第１実施形態であるメールフォーム２０を示す図である。図中、（ａ）は表面図を示し、（ｂ）は側面の断面図を示している。第１実施形態では、従来例で示したメールフォーム１０（図５）と同一部分には同一符号を付し、重複する説明は適宜省略する。
【００１６】
この実施形態のメールフォーム２０は、例えば百貨店の商品案内等を印刷したダイレクトメールとして用いられるものである。メールフォーム２０は、封筒の外部紙となる帳票片１１と、内部紙となる重ねられた複数枚の帳票片１２とから構成されている。帳票片１２としては、例えばパンフレット、申込書又は返信用封筒があげられる。
【００１７】
図１（ａ）において、上下側の２辺の外縁部には、従来例で示したミシン目１１ｃ及び１１ｄは形成されていない。そして、これらの外縁部には、接着剤部１６ａ〜１６ｄ、及び接着力弱化部１７ａ及び１７ｂが設けられている。これらは、帳票片１２とは接触しないように設けられている。その他の構成については、従来のメールフォーム１０と同様である。
【００１８】
接着剤部１６ａ及び１６ｂは、外部紙１１の図中上下側の２辺の外縁部であって折り返しライン１４より左側の領域に、略帯状に設けられている。接着剤部１６ａ及び１６ｂは、接着剤部同士が接着したときは剥離不能に接着される程度の接着力を有し、接着剤部と紙面等が接着したときは剥離可能に接着される程度の接着力を有するものである。
【００１９】
また、接着剤部１６ｃと接着力弱化部１７ａ、及び接着剤部１６ｄと接着力弱化部１７ｂは、図中、上下側の２辺の外縁部であって折り返しライン１４と１５との間の領域に、それぞれ交互に配置されるように略帯状に設けられている。そして、接着剤部１６ｃ及び１６ｄは、極めて狭い領域に（例えばスポット状に）設けられている。これらの接着剤部１６ｃ及び１６ｄは、接着剤部１６ａ及び１６ｂと同様のものである。また、接着力弱化部１７ａ及び１７ｂは、接着剤部１６と接着したときに、接着剤部１６の接着力を弱めることにより、両者を剥離可能に接着させるものである。接着力弱化部１７ａ及び１７ｂには、例えばニスが用いられる。
【００２０】
以上の構成からなるメールフォーム２０は、従来例と同様に、帳票片１２の図１（ａ）中、表面側同士が重なるように折り返しライン１４が折り返される。折り返しライン１４が折り返されると、帳票片１１の接着剤部１６ａと接着剤部１６ｃ及び接着力弱化部１７ａとが接着され、かつ接着剤部１６ｂと接着剤部１６ｄ及び接着力弱化部１７ｂとが接着される。
【００２１】
ここで、接着剤部１６ａと接着剤部１６ｃ、及び接着剤部１６ｂと接着剤部１６ｄとが接着されると、本来であれば両者は剥離不能に接着されるが、接着剤部１６ｃ及び接着剤部１６ｄの形成領域が極めて狭いことから、両者は分離可能に接着される。また、接着剤部１６ａと接着力弱化部１７ａ、及び接着剤部１６ｂと接着力弱化部１７ｂが接着されると、接着力弱化部１７ａ及び１７ｂによってそれぞれ接着剤部１６ａ及び１６ｂの接着力が弱められるので、両者は剥離可能に接着される。以上により、帳票片１１の図１（ａ）中、上下辺の外縁部は、分離可能に接着される。続いて、従来例と同様に、折り返しライン１５が折り返され、メールフォーム２０が封止される。図２は、封止されたときのメールフォーム２０を示す斜視図である。
【００２２】
メールフォーム２０は、この状態で受取人に発送される。受取人は、ミシン目１１ｅ及び１１ｆを裁断することによりミシン目１１ｅと１１ｆとの間の帯状の部分をメールフォーム２０から分離することができる。また、帳票片１１のミシン目１１ｅ等と垂直な２辺の外縁部は、接着剤部１６ａ〜１６ｄ、及び接着力弱化部１７ａ及び１７ｂにより分離可能に接着されているので、この外縁部は、裁断すること等なく分離することができる。ここで、接着剤部１６ａ及び１６ｂと接着剤部１６ｃ及び１６ｄとの接着は、接着剤部同士の接着であるので強接着されているが、上述のように接着領域が極めて狭いため、帳票片１１の若干の基材破壊を伴う場合もあるが、結果として分離することができる。
以上により、メールフォーム２０を開封することができる。図３は、開封されたときのメールフォーム２０を示す斜視図である。
【００２３】
図４は、本発明の第２実施形態であるメールフォーム３０を示す平面図である。図中、（ａ）は内面側を示し、（ｂ）は外面側を示す。
メールフォーム３０は、外部紙となる帳票片３１と、内部紙となる重ねられた複数枚の帳票片３２とから構成されている。帳票片３１の図４（ａ）中、右辺近傍には、裁断可能な２つの平行なミシン目３１ａ及び３１ｂが形成されている。また、メールフォーム３０には、封止されるときに折り返される折り返しライン３３ａ、３３ｂ及び３３ｃが設定されている。
【００２４】
帳票片３１の図中上下辺の外縁部において、折り返しライン３３ａの図中、左側領域には、略円形状に開口した開口部３４が複数形成されている。また、この外縁部の内面側であって折り返しライン３３ａと３３ｂとの間には、折り返しライン３３ａが折り返されたときに開口部３４内に配置されるように、スポット状に接着剤部３５ａが複数設けられている。さらに、この外縁部の折り返しライン３３ｂと３３ｃとの間には、略帯状の接着剤部３５ｂが設けられている。接着剤部３５ａ及び３５ｂは、第１実施形態と同様のものである。
【００２５】
さらにまた、この外縁部の外面側（図中、（ｂ））において、折り返しライン３３ａの左側領域であって開口部３４以外の領域には、接着力弱化部３６が設けられている。接着力弱化部３６には、例えば第１実施形態と同様のニスが用いられる。
【００２６】
以上の構成からなるメールフォーム３０において、最初に折り返しライン３３ａが、帳票片３２同士が重なるように折り返される。これにより、帳票片３１の開口部３４が形成された外縁部と接着剤部３５ａが設けられた外縁部とが重なるが、接着剤部３５ａは開口部３４内に配置されるので、接着剤部３５ａは、いずれとも接着されない。
【００２７】
次に、折り返しライン３３ｂが折り返される。折り返しライン３３ｂは、折り返された帳票片３１の外面側に帳票片３２の内面側が重なるように折り返される。したがって、接着剤部３５ｂは、接着力弱化部３６が設けられた領域と重なる。接着剤部３５ｂと接着力弱化部３６とが接着されると、両者は剥離可能に接着される。また、開口部３４を介して接着剤部３５ｂと接着剤部３５ａとが接着される。ここで、本来であれば接着剤部同士が接着されると、両者は剥離不能に接着されるが、接着剤部３５ａがスポット状に設けられておりその領域が極めて狭いことから、両者は分離可能に接着される。以上により、メールフォーム３０の図中、上下辺の外縁部は分離可能に接着される。
続いて、従来例と同様に、折り返しライン３３ｃが折り返され、メールフォーム３０が封止される。
【００２８】
メールフォーム３０の受取人は、ミシン目３１ａ及び３１ｂを裁断することにより両者間の帯状の部分をメールフォーム３０から分離することができる。また、メールフォーム３０のミシン目３１ａ等と垂直な２辺の外縁部は、裁断すること等なく分離することができる。以上により、メールフォーム３０を開封することができる。
【００２９】
以上、本発明の一実施形態について説明したが、本発明は、上述した実施形態に限定されることなく、均等の範囲内で以下のような種々の変形が可能である。
（１）接着力弱化部１７ａ等は、実施形態ではニスを用いたが、接着剤の接着力を弱めることができる材料であれば、いかなる材料を用いても良い。
（２）実施形態では、２つ折り及び３つ折りのメールフォーム２０、３０を示したが、いくつ折りのものであっても良い。
（３）実施形態では、分離可能に接着する接着剤部のうちの一方をスポット状に設けたが、線状等であっても良い。
（４）外部紙となる帳票片１１、３１の外面側となる部分には、受取人の宛名等を併せて印字するようにしても良い。
【００３０】
【発明の効果】
本発明によれば、メールフォームの折り返しラインに垂直な外縁部を、ミシン目等を用いずに分離することができるので、メールフォームの開封しやすさを高めることができる。また、メールフォームの用途等に応じて、３つ折り以上のものに対しても適用することができる。さらにまた、外部紙及び内部紙の厚みを薄くすることができるので、内部紙を増やすことができ、メールフォームの受取人に対して多くの情報を伝達することができる。
【図面の簡単な説明】
【図１】本発明の第１実施形態であるメールフォーム２０を示す表面図及び側面の断面図である。
【図２】図１のメールフォーム２０が封止されたときの様子を示す斜視図である。
【図３】開封されたときのメールフォーム２０を示す斜視図である。
【図４】本発明の第２実施形態であるメールフォーム３０を示す平面図である。
【図５】従来のメールフォームの一例を示す平面図、及び側面の断面図である。
【図６】図５のメールフォーム１０が封止されたときの様子を示す斜視図である。
【図７】開封されたメールフォーム１０を示す斜視図である。
【符号の説明】
１１  帳票片
１１ｅ、１１ｆ  ミシン目
１２  帳票片
１４、１５  折り返しライン
１６ａ、１６ｂ、１６ｃ、１６ｄ  接着剤部
１７ａ、１７ｂ  接着力弱化部
２０  メールフォーム
【図１】
0003835571.tif 000002
【図２】
0003835571.tif 000003
【図３】
0003835571.tif 000004
【図４】
0003835571.tif 000005
【図５】
0003835571.tif 000006
【図６】
0003835571.tif 000007
【図７】
0003835571.tif 000008